(57)【要約】【課題】防塵ネットに大きな振動を与えることができるとともに、防塵ネットの移動空間を小さくすることができる作業機械の熱交換器用防塵ネットの清掃装置の提供。【解決手段】本発明は、熱交換器１４の前面側に配置され、熱交換器１４に供給される外部空気流中に含まれる塵埃を捕捉する防塵ネット１５を有するミニショベルに備えられ、防塵ネット１５に付着した塵埃を除去する清掃装置において、例えば熱交換器１４を支持する支持フレーム１６と防塵ネット１５との間に設けられ、防塵ネット１５を弾性支持する第１ばね２１及び第２ばね２２と、外部空気流の上流側に位置する防塵ネット１５の表面の側端部１５ｃを叩打してこの防塵ネット１５を振動させるモータ２５及び偏心カム２６を含む加振装置２４とを備えた構成にしてある。【選択図】図３
2013002339.tif 000002
【特許請求の範囲】
【請求項１】
車体と、この車体に取り付けられる作業装置と、上記車体上に配置される機械室と、この機械室の内部に収容される熱交換器と、この熱交換器の前面側に配置され、上記熱交換器に供給される外部空気流中に含まれる塵埃を捕捉する防塵ネットとを有する作業機械に備えられ、
上記防塵ネットに付着した塵埃を除去する作業機械の熱交換器用防塵ネットの清掃装置において、
上記防塵ネットを弾性支持する弾性体と、
上記防塵ネットの上記外部空気流の上流側に位置する表面、及び下流側に位置する裏面の少なくとも一方を直接に振動させる加振装置とを備えたことを特徴とする作業機械の熱交換器用防塵ネットの清掃装置。
【請求項２】
請求項１に記載の作業機械の熱交換器用防塵ネットの清掃装置において、
上記弾性体の収縮後に反転する上記防塵ネットの動きを規制するストッパ部材を設けたことを特徴とする作業機械の熱交換器用防塵ネットの清掃装置。
【請求項３】
請求項２に記載の作業機械の熱交換器用防塵ネットの清掃装置において、
上記ストッパ部材は、上記熱交換器を支持する支持フレームの上面部に固定され、上記防塵ネットの上端部の動きを規制する第１ストッパ部材と、上記熱交換器を支持する支持フレームの下面部に固定され、上記防塵ネットの下端部の動きを規制する第２ストッパ部材とを含み、
上記弾性体は、上記防塵ネットの上記上端部と上記支持フレームの上記上面部との間に設けられ、上記防塵ネットの上記上端部を弾性支持する第１弾性体と、上記防塵ネットの上記下端部と上記支持フレームの上記下面部との間に設けられ、上記防塵ネットの上記下端部を弾性支持する第２弾性体とを含むことを特徴とする作業機械の熱交換器用防塵ネットの清掃装置。
【請求項４】
請求項３に記載の作業機械の熱交換器用防塵ネットの清掃装置において、
上記第１弾性体の上方に配置され、上記第１弾性体の上方に位置する上記防塵ネットの上記上端部と上記支持フレームの上記上面部との間をシールし、上記第１弾性体の弾性力よりも弱い弾性力に設定された第１シール部材と、上記第２弾性体の下方に配置され、上記第２弾性体の下方に位置する上記防塵ネットの上記下端部と上記支持フレームの上記下面部との間をシールし、上記第２弾性体の弾性力よりも弱い弾性力に設定された第２シール部材とを備え、
上記第１弾性体で弾性支持された上記防塵ネットの上記上端部と、上記第２弾性体で弾性支持された上記防塵ネットの上記下端部との間に位置する上記防塵ネットの部分の上記表面を直接に振動させるように上記加振装置を配置したことを特徴とする作業機械の熱交換器用防塵ネットの清掃装置。
【請求項５】
請求項１〜４のいずれか１項に記載の作業機械の熱交換器用防塵ネットの清掃装置において、
上記加振装置は、モータと、このモータの駆動によって上記防塵ネットを叩打するように回転する偏心カムとを含むことを特徴とする作業機械の熱交換器用防塵ネットの清掃装置。
【発明の詳細な説明】
【技術分野】
【０００１】
本発明は、熱交換器の前面側に配置される熱交換器用防塵ネットを有する油圧ショベル等の作業機械に備えられ、防塵ネットに付着した塵埃を除去する作業機械の熱交換器用防塵ネットの清掃装置に関する。
【背景技術】
【０００２】
この種の従来技術として特許文献１に示されるものがある。この特許文献１には、上方に配置された揺動支点を中心に揺動可能に設けたネットフレームと、このネットフレームに支持され、オイルクーラの前面側に配置される防塵ネットとを備えた油圧ショベルにおいて、ネットフレームの下部に連結され、このネットフレームを揺動させる油圧シリンダを備え、この油圧シリンダを伸縮駆動させることによってネットフレーム、及びこのネットフレームに保持させた防塵ネットを往復揺動させ、この往復揺動操作によって防塵ネットに付着した塵埃を落下させて除去するようにした清掃装置が開示されている。また、この特許文献１には、上述したネットフレームと防塵ネットを備えた油圧ショベルにおいて、ネットフレームを上下方向に往復動させるモータを備え、このモータの駆動によってネットフレーム、及びこのネットフレームに保持させた防塵ネットを上下方向に往復動させ、この上下方向の往復動によって防塵ネットに付着した塵埃を除去するようにした別の清掃装置も開示されている。
【先行技術文献】
【特許文献】
【０００３】
【特許文献１】特開２００４−２２５６２４号公報
【発明の概要】
【発明が解決しようとする課題】
【０００４】
上述した特許文献１に示される従来の清掃装置は、防塵ネットを支持するネットフレームを往復揺動させて、あるいは上下方向に往復動させて、防塵ネットに付着した塵埃を落下させるようにしてあることから、ネットフレームに支持された防塵ネットに生じさせる振動が小さくなりがちである。これに伴って、防塵ネットに対する塵埃の付着力が大きいと、防塵ネットから塵埃を離脱させ難くなる。すなわち、上述した従来の清掃装置は、防塵ネットに付着した塵埃を除去する清掃性能に問題があった。
【０００５】
また、上述した従来技術は、ネットフレームを往復揺動させるものにあっては、大きな揺動角度にしないと揺動支点の近くの防塵ネット部分に付着した塵埃の除去が困難となる。また、ネットフレームを上下方向に往復動させるものにあっては、防塵ネットの上方向に大きな移動領域を確保しないと防塵ネット全体の塵埃の除去は困難となる。すなわち、上述した従来の清掃装置は、防塵ネットの十分な移動を可能にする大きな移動空間が必要になり、これに伴って防塵ネットの周囲の機器の配置設計に制約を受ける問題がある。このことは作業機械がミニショベル等のように、小さな配置スペース上に多数の機器を配置しなければならない小型機械である場合には特に深刻な問題となる。
【０００６】
本発明は、上述した従来技術における実状からなされたもので、その目的は、防塵ネットに大きな振動を与えることができるとともに、防塵ネットの移動空間を小さくすることができる作業機械の熱交換器用防塵ネットの清掃装置を提供することにある。
【課題を解決するための手段】
【０００７】
この目的を達成するために、本発明は、車体と、この車体に取り付けられる作業装置と、上記車体上に配置される機械室と、この機械室の内部に収容される熱交換器と、この熱交換器の前面側に配置され、上記熱交換器に供給される外部空気流中に含まれる塵埃を捕捉する防塵ネットとを有する作業機械に備えられ、上記防塵ネットに付着した塵埃を除去する作業機械の熱交換器用防塵ネットの清掃装置において、上記防塵ネットを弾性支持する弾性体と、上記防塵ネットの上記外部空気流の上流側に位置する表面、及び下流側に位置する裏面の少なくとも一方を直接に振動させる加振装置とを備えたことを特徴としている。
【０００８】
このように構成した本発明は、加振装置を駆動させて防塵ネットの表面及び裏面の少なくとも一方を直接に振動させるので、防塵ネットに大きな振動を与えることができる。このように防塵ネットに大きな振動を与えることにより、防塵ネットに付着している塵埃のほとんど全部を落下させ、除去することができる。
【０００９】
また本発明にあっては、加振装置によって防塵ネットを振動させた際の防塵ネットの移動距離は、防塵ネットを弾性支持する弾性体のたわみ変形量に依存する。すなわち本発明は、防塵ネットの移動空間を弾性体のたわみ変形量程度の小さな移動空間とすることができる。したがって本発明は、熱交換器に対向する前後方向の設置寸法を、弾性体の長さ寸法に防塵ネットの厚さ寸法を加えた程度の小さな寸法とすることができ、これに併せて加振装置の設置領域を考慮すればよいので、全体の設置空間を比較的小さくすることができる。
【００１０】
また本発明は、上記発明において、上記弾性体の収縮後に反転する上記防塵ネットの動きを規制するストッパ部材を設けたことを特徴としている。
【００１１】
このように構成した本発明は、加振装置によって弾性体の弾性力に抗して移動した防塵ネットが、引き続いて弾性体の弾性力によって元の位置に復帰する際にストッパ部材に衝突する。この衝突によっても防塵ネットに振動を与えることができる。すなわち本発明は、加振装置によって防塵ネットを直接に振動させるとともに、ストッパ部材によっても防塵ネットを振動させることができる。
【００１２】
また本発明は、上記発明において、上記ストッパ部材は、上記熱交換器を支持する支持フレームの上面部に固定され、上記防塵ネットの上端部の動きを規制する第１ストッパ部材と、上記熱交換器を支持する支持フレームの下面部に固定され、上記防塵ネットの下端部の動きを規制する第２ストッパ部材とを含み、上記弾性体は、上記防塵ネットの上記上端部と上記支持フレームの上記上面部との間に設けられ、上記防塵ネットの上記上端部を弾性支持する第１弾性体と、上記防塵ネットの上記下端部と上記支持フレームの上記下面部との間に設けられ、上記防塵ネットの上記下端部を弾性支持する第２弾性体とを含むことを特徴としている。
【００１３】
このように構成した本発明は、第１弾性体の収縮前の形状への復帰時に第１ストッパ部材によって防塵ネットの主に上側部分に大きな振動を与えることができ、第２弾性体の収縮前の形状への復帰時に第２ストッパ部材によって防塵ネットの主に下側部分に大きな振動を与えることができる。
【００１４】
また本発明は、上記発明において、上記第１弾性体の上方に配置され、上記第１弾性体の上方に位置する上記防塵ネットの上記上端部と上記支持フレームの上記上面部との間をシールし、上記第１弾性体の弾性力よりも弱い弾性力に設定された第１シール部材と、上記第２弾性体の下方に配置され、上記第２弾性体の下方に位置する上記防塵ネットの上記下端部と上記支持フレームの上記下面部との間をシールし、上記第２弾性体の弾性力よりも弱い弾性力に設定された第２シール部材とを備え、上記第１弾性体で弾性支持された上記防塵ネットの上記上端部と、上記第２弾性体で弾性支持された上記防塵ネットの上記下端部との間に位置する上記防塵ネットの部分の上記表面を直接に振動させるように上記加振装置を配置したことを特徴としている。
【００１５】
このように構成した本発明は、第１シール部材によって防塵ネットの上端部と支持フレームの上面部との間からの熱交換器側への塵埃の侵入を防ぎ、これによって熱交換器への塵埃の付着、及び第１弾性体への塵埃の付着を防ぎ、第２シール部材によって防塵ネットの下端部と支持フレームの下面部との間からの熱交換器側への塵埃の侵入を防ぎ、これによって熱交換器への塵埃の付着、及び第２弾性体への塵埃の付着を防ぐことができる。
【００１６】
また本発明は、上記発明において、上記加振装置は、モータと、このモータの駆動によって上記防塵ネットを叩打するように回転する偏心カムとを含むことを特徴としている。このように構成した本発明は、加振装置を簡単な構成とすることができ、実用的である。
【発明の効果】
【００１７】
本発明は、車体上に配置された機械室の内部に収容される熱交換器の前面側に配置された防塵ネットを弾性支持する弾性体と、防塵ネットの外部空気流の上流側に位置する表面、及び下流側に位置する裏面の少なくとも一方を直接に振動させる加振装置とを備えた構成にしてある。この構成により本発明は、加振装置によって防塵ネットに直接に大きな振動を与えることができ、従来の清掃装置に比べて優れた清掃性能を確保することができ、清掃作業の能率を向上させることができる。また本発明は、防塵ネットの移動空間を小さくすることができる。これにより本発明は、防塵ネット、弾性体、及び加振装置が配設される空間を従来の清掃装置に比べて小さくすることができる。したがって、防塵ネットの周囲の機器の配置設計に対する自由度を従来の清掃装置よりも大きくすることができ、ミニショベル等の小型機械に設ける清掃装置としても好適である。
【図面の簡単な説明】
【００１８】
【図１】本発明に係る熱交換器用防塵ネットの清掃装置の一実施形態が備えられる作業機械の一例として挙げたミニショベルを示す側面図である。
【図２】図１に示すミニショベルに備えられるエンジンルーム内の要部機器の配置形態を示す側面図である。
【図３】図１に示すミニショベルに備えられる本実施形態に係る熱交換器用防塵ネットの清掃装置の構成を示す図で、（ａ）図は正面図、（ｂ）図は側断面図である。
【発明を実施するための形態】
【００１９】
以下、本発明に係る作業機械の熱交換器用防塵ネットの清掃装置の実施の形態を図に基づいて説明する。
【００２０】
本実施形態に係る熱交換器用防塵ネットの清掃装置が備えられる作業機械は、例えば小型機械を構成するミニショベルから成っている。このミニショベルは、図１に示すように、走行体１と、この走行体１上に配置される旋回体２とを備えている。これらの走行体１と旋回体２によって車体が構成されている。旋回体２には、土砂の掘削作業等に活用される作業装置３が取り付けられている。この作業装置３は、旋回体２に上下方向の回動可能に接続されるブーム４と、このブーム４の先端に上下方向の回動可能に接続されるアーム５と、このアーム５の先端に上下方向の回動可能に接続されるバケット６とを含んでいる。旋回体２上には運転席７が設けられ、この運転席７の後方には重量バランスを確保するカウンタウエイト８が設けられ、運転席７とカウンタウエイト８との間には機械室、すなわちエンジンルーム９が設けられている。
【００２１】
図２に示すように、エンジンルーム９内には、エンジン１０と、このエンジン１０によって駆動され、各油圧機器に圧油を供給する油圧ポンプ１１と、例えばエンジン１０によって駆動され、矢印１２に示すように外部空気流を生起させて、この外部空気流をエンジンルーム９内に導くファン１３とが配置されている。また、ファン１３の前側、すなわち外部空気流の上流側には、オイルクーラ、ラジエータ等の外部空気流によって冷却される熱交換器１４が配置されている。また、熱交換器１４の前面側には、熱交換器１４に供給される外部空気流中に含まれる塵埃を捕捉する本実施形態の清掃対象である防塵ネット１５が配置されている。
【００２２】
本実施形態に係る清掃装置は、図３に示すように、例えば熱交換器１４を支持する支持フレーム１６と防塵ネット１５との間に設けられ、防塵ネット１５を弾性支持する後述の弾性体と、上述した外部空気流の上流側に位置する防塵ネット１５の表面を例えば叩打するようにしてこの防塵ネット１５を直接に振動させる後述の加振装置２４とを備えている。
【００２３】
また本実施形態は、支持フレーム１６に固定され、後述の弾性体の収縮後に反転する防塵ネット１５の外部空気流の上流側への動きを規制する後述のストッパ部材を設けてある。
【００２４】
上述したストッパ部材は、同図３の（ｂ）図に示すように、支持フレーム１６の上面部１６ａに固定され、防塵ネット１５の上端部１５ａの動きを規制する第１ストッパ部材１７と、支持フレーム１６の下面部１６ｂに固定され、防塵ネット１５の下端部１５ｂの動きを規制する第２ストッパ部材１８とを含んでいる。
【００２５】
上述した弾性体は、防塵ネット１５の上端部１５ａと支持フレーム１６の上面部１６ａとの間に設けられ、防塵ネット１５の上端部１５ａを弾性支持する第１弾性体、例えば第１ばね２１と、防塵ネット１５の下端部１５ｂと支持フレーム１６の下面部１６ｂとの間に設けられ、防塵ネット１５の下端部１５ｂを弾性支持する第２弾性体、例えば第２ばね２２とを含んでいる。
【００２６】
また本実施形態は、同図３の（ｂ）図に示すように、第１ばね２１の上方に配置され、第１ばね２１の上方に位置する防塵ネット１５の上端部１５ａと支持フレーム１６の上面部１６ａとの間をシールし、第１ばね２１の弾性力よりも弱い弾性力に設定された例えばゴム製の第１シール部材１９と、第２ばね２２の下方に配置され、第２ばね２２の下方に位置する防塵ネット１５の下端部１５ｂと支持フレーム１６の下面部１６ｂとの間をシールし、第２ばね２２の弾性力よりも弱い弾性力に設定された例えばゴム製の第２シール部材２０とを備えている。
【００２７】
上述した加振装置２４は、同図３の（ａ）図に示すように、例えば支持フレーム１６の一方の側面部１６ｃに固定されるモータ２５と、このモータ２５の出力軸２５ａに取り付けられ、モータ２５の駆動によって防塵ネット１５を叩打するように回転して、防塵ネット１５を直接に振動させる偏心カム２６とを含んでいる。この加振装置２４は、例えば第１ばね２１で弾性支持された防塵ネット１５の上端部１５ａと、第２ばね２２で弾性支持された防塵ネット１５の下端部１５ｂとの間に位置する防塵ネット１５の部分の表面、すなわち熱交換器１４から離れる側の面の側端部１５ｃを偏心カム２６の回転によって叩打するように配置してある。
【００２８】
このように構成した本実施形態は、加振装置２４を構成するモータ２５を駆動させて偏心カム２６を回転させ、この偏心カム２６によって同図３の（ｂ）図に示すように、防塵ネット１５の表面の側端部１５ｃを叩打するようにして、この防塵ネット１５を直接に振動させるので、防塵ネット１５に大きな振動を与えることができる。このように防塵ネット１５に大きな振動を与えることにより、防塵ネット１５に付着している塵埃のほとんど全部を落下させ、除去させることができる。これにより優れた清掃性能を確保することができ、清掃作業の能率を向上させることができる。
【００２９】
また本実施形態は、モータ２５を駆動させ、偏心カム２６によって防塵ネット１５の側端部１５ｃを叩打するようにしてこの防塵ネット１５を振動させた際の防塵ネット１５の移動距離は、防塵ネット１５を弾性支持する第１ばね２１、第２ばね２２のたわみ変形量に依存する。すなわち本実施形態は、防塵ネット１５の移動空間を第１ばね２１、第２ばね２２のたわみ変形量程度の小さな移動空間とすることができる。したがって本実施形態は、熱交換器１４に対向する前後方向の設置寸法を、第１ばね２１あるいは第２ばね２２の長さ寸法に防塵ネット１５の厚さ寸法を加えた程度の小さな寸法とすることができ、これに併せて加振装置２４を構成するモータ２５及び偏心カム２６の設置領域を考慮すればよいので、全体の設置空間を比較的小さくすることができる。これにより防塵ネット１５の周囲の機器の配置設計に対する自由度を大きくすることができ、当該ミニショベルのようにエンジンルーム９内に配置される機器の設置領域が狭くて配置設計に制約を受けやすい小型機械の清掃装置として好適である。
【００３０】
また本実施形態は、モータ２５を駆動させて、偏心モータ２６を回転させて行われる叩打で第１ばね２１、第２ばね２２の弾性力に抗して熱交換器１４側に移動した防塵ネット１５が、叩打後に元の位置に復帰する際に第１ストッパ部材１７、第２ストッパ部材１８に衝突する。この衝突によっても防塵ネット１５に振動を与えることができる。すなわち、第１ばね２１の収縮前の形状への復帰時に第１ストッパ１７によって主に防塵ネット１５の上側部分に大きな振動を与えることができ、第２ばね２２の収縮前の形状への復帰時に第２ストッパ１８によって主に防塵ネット１５の下側部分に大きな振動を与えることができる。このように本実施形態は、モータ２５を駆動させ、偏心カム２６を回転させることによる叩打で防塵ネット１５を直接に振動させるとともに、第１ストッパ部材１７及び第２ストッパ部材１８によっても防塵ネット１５を振動させることができ、さらに優れた清掃性能が得られる。
【００３１】
また本実施形態は、第１シール部材１９によって防塵ネット１５の上端部１５ａと支持フレーム１６の上面部１６ａとの間からの熱交換器１４側への塵埃の侵入を防ぎ、これによって熱交換器１４への塵埃の付着、及び第１ばね２１への塵埃の付着を防ぎ、第２シール部材２０によって防塵ネット１５の下端部１５ｂと支持フレーム１６の下面部１６ｂとの間からの熱交換器１４側への塵埃の侵入を防ぎ、これによって熱交換器１４への塵埃の付着、及び第２ばね２２への塵埃の付着を防ぐことができる。
【００３２】
また本実施形態は、加振装置２４を、モータ２５と、このモータ２５の駆動によって防塵ネット１５の側端部１５ｃを叩打するように回転する偏心カム２６を含む簡単な構成にしてあることから、実用性に富む。
【００３３】
なお、上記実施形態は、図３の（ａ）図に示すように、加振装置２４を支持フレーム１６の一方の側面部１６ｃに１つ設け、防振ネット１５の一方の側端部１５ｃを叩打するように構成してあるが、支持フレーム１６の他方の側面部１６ｄにも加振装置２４を設け、防塵ネット１５の他方の側端部１５ｄを偏心カム２６で叩打するようにして防塵ネット１５を直接に振動させる構成にしてもよい。
【００３４】
また、上記実施形態は、第１ばね２１及び第２ばね２２を、支持フレーム１６と防塵ネット１５との間に設け、外部空気流の上流側に位置する防塵ネット１５の表面を叩打するようにして防塵ネット１５を直接に振動させる加振装置２４を備えた構成にしてあるが、支持フレーム１６と防塵ネット１５との間に、加振装置２４を配置可能な空間を確保できる場合には、上記実施形態の構成に加えて、あるいは上記実施形態の構成に代えて、第１ばね２１及び第２ばね２２を、第１ストッパ部材１７（この構成にあってはストッパ部材とはならず、ばねの保持部材を形成する）、第２ストッパ部材１８（同様に、この構成にあってはストッパ部材とはならず、ばねの保持部材を形成する）のそれぞれと防塵ネット１５との間に設け、外部空気流の下流側に位置する防塵ネット１５の裏面を叩打するように加振装置２４を配置する構成とすることもできる。また、このように構成する場合には、熱交換器１４の支持フレーム１６と防塵ネット１５との間に、支持フレーム１６に固定され、防塵ネット１５の熱交換器１４方向への移動を規制するストッパ部材を設けるようにすることもできる。
【符号の説明】
【００３５】
１    走行体（車体）
２    旋回体（車体）
３    作業装置
９    エンジンルーム（機械室）
１４    熱交換器
１５    防塵ネット
１５ａ  上端部
１５ｂ  下端部
１５ｃ  側端部
１５ｄ  側端部
１６    支持フレーム
１６ａ  上面部
１６ｂ  下面部
１６ｃ  側面部
１６ｄ  側面部
１７    第１ストッパ部材
１８    第２ストッパ部材
１９    第１シール部材
２０    第２シール部材
２１    第１ばね（第１弾性体）
２２    第２ばね（第２弾性体）
２４    加振装置
２５    モータ
２５ａ  出力軸
２６    偏心カム
【図１】
2013002339.tif 000003
【図２】
2013002339.tif 000004
【図３】
2013002339.tif 000005